(57)【要約】【課題】  情報表示体が誤動作する虞のない表示装置を提供する。【解決手段】  所定情報を表示する情報表示体１１と情報表示体１１を収納する導電性のフレーム体１６とを有する表示ユニット１０と、この表示ユニット１０の背後側に配置される回路基板２０と、その一端側Ｘ１が背面フレーム１５（フレーム体１６）と接続可能に構成された導電部材１８と、その一端部Ｙ１が回路基板２０の接地部２３と接続可能に構成された配線コード５０とを備え、一端側Ｘ１とは反対側となる導電部材１８の他端側Ｘ２は、一端部Ｙ１とは反対側となる配線コード５０の他端部Ｙ２と当接している。【選択図】図２
2019006171.tif 000002
【特許請求の範囲】
【請求項１】
所定情報を表示する情報表示体と前記情報表示体を収納する導電性のフレーム体とを有する表示ユニットと、
前記表示ユニットの視認者側とは反対側となる反視認者側に配置される回路基板と、
その一端側が前記フレーム体と接続可能に構成された導電部材と、
その一端部が前記回路基板の接地部と接続可能に構成された配線部材とを備え、
前記一端側とは反対側となる前記導電部材の他端側は、前記一端部とは反対側となる前記配線部材の他端部と当接していることを特徴とする表示装置。
【請求項２】
前記表示ユニットは、前記フレーム体の内部に収納される本体部と前記フレーム体の外部にはみ出す固定部とを有する樹脂部材を有し、
前記導電部材の他端側と前記配線部材の他端部とが螺子によって前記固定部に共締め固定されることを特徴とする請求項１記載の表示装置。
【発明の詳細な説明】
【技術分野】
【０００１】
本発明は、例えば自動車や建設機械等の各種車両に搭載された表示装置に関するものである。
【背景技術】
【０００２】
従来より、この種の表示装置にあっては、例えば下記特許文献１に記載されているものが知られている。この特許文献１に記載の表示装置は、所定情報（例えば車速情報）を表示する液晶表示パネルからなる情報表示体と、この情報表示体の背後側に配置される硬質の回路基板と、情報表示体及び回路基板を収納する樹脂筐体とから主に構成され、回路基板には情報表示体の表示制御を行うマイクロコンピュータからなる制御部等が実装されている。
【先行技術文献】
【特許文献】
【０００３】
【特許文献１】特開２０１１−１１１０５６号公報
【発明の概要】
【発明が解決しようとする課題】
【０００４】
ところで、車両には、上述の表示装置の他にも、当該表示装置の周辺に電子機器（例えばオーディオ機器）が搭載されている。通常、オーディオ機器は動作時に電磁ノイズを発生させるものであり、電磁ノイズは周囲に伝播する。従って、このオーディオ機器の周囲に伝播した電磁ノイズの影響を受けて、表示装置に備えられる液晶表示パネル（情報表示体）が誤動作する虞がある。
そこで本発明は、前述の課題に対して対処するため、情報表示体が誤動作する虞のない表示装置の提供を目的とするものである。
【課題を解決するための手段】
【０００５】
本発明は、所定情報を表示する情報表示体と前記情報表示体を収納する導電性のフレーム体とを有する表示ユニットと、前記表示ユニットの視認者側とは反対側となる反視認者側に配置される回路基板と、その一端側が前記フレーム体と接続可能に構成された導電部材と、その一端部が前記回路基板の接地部と接続可能に構成された配線部材とを備え、前記一端側とは反対側となる前記導電部材の他端側は、前記一端部とは反対側となる前記配線部材の他端部と当接していることを特徴とする。
【０００６】
また本発明は、前記表示ユニットは、前記フレーム体の内部に収納される本体部と前記フレーム体の外部にはみ出す固定部とを有する樹脂部材を有し、
前記導電部材の他端側と前記配線部材の他端部とが螺子によって前記固定部に共締め固定されることを特徴とする。
【発明の効果】
【０００７】
本発明によれば、所期の目的を達成でき、情報表示体が誤動作する虞のない表示装置を提供できる。
【図面の簡単な説明】
【０００８】
【図１】本発明の実施形態による表示装置の正面図。
【図２】図１のＡ−Ａ断面図。
【図３】図２中、表示装置の要部を拡大して示す要部拡大断面図。
【発明を実施するための形態】
【０００９】
以下、図１〜図３に基づいて、本発明の実施形態を建設機械等の車両に搭載された表示装置に適用した場合を例に挙げて説明する。なお、以下の説明では、表示装置を正視（視認）する視認者側を前方側とし、当該視認者側とは反対側である反視認者側を背後側とする。
【００１０】
図１、図２において、本実施形態による表示装置Ｄは、表示ユニット１０と、この表示ユニット１０の背後側に配置される回路基板２０と、表示ユニット１０の前方側に配置される透光性の保護パネル３０と、表示装置Ｄの外装ケースを構成する筐体４０と、配線部材（電線）としての配線コード５０とを備えている。
【００１１】
表示ユニット１０は、図２に示すように情報表示体としての表示素子１１と、この表示素子１１のソース線（信号線）を駆動するソース線駆動回路（図示せず）と、表示素子１１のゲート線（走査線）を駆動するゲート線駆動回路（図示せず）と、導光体１２ａや光源１２ｂ、フレキシブル配線板１２ｃ等から構成され、表示素子１１に照明光を導くための照明手段１２と、表示素子１１及び導光体１２ａを保持する本体部１３ａを有する樹脂ケース（樹脂部材）１３と、前面フレーム１４と背面フレーム１５とでなり、表示ユニット１０の外装ケースを構成する導電性のフレーム体１６と、前記ソース線駆動回路並びに前記ゲート線駆動回路のタイミングを制御する各種タイミング信号を生成するタイミングコントローラ（図示せず）等が搭載されたプリント基板１７とを有している。
【００１２】
そして、この場合、前面フレーム１４とこの前面フレーム１４と対をなす背面フレーム１５とから構成される金属製のフレーム体１６は、その内部に表示素子１１や導光体１２ａ、光源１２ｂ、本体部１３ａ等を収納（収容）し、またプリント基板１７は、背面フレーム１５の後述する底面部の背面に適宜固定手段を用いて固定されている。
【００１３】
なお、必要に応じて、表示素子１１を略均一にバックライト照明するための光学部材（例えば拡散シートやプリズムシート）を表示素子１１と導光体１２ａとの間に１つ以上配置してもよい。
【００１４】
表示素子１１は、例えば複数の画素を有するＴＦＴ型の液晶表示素子からなり、車両に搭載された各種センサからの検出信号に基づいて、車速や燃料消費、外気温等の車両情報（所定情報）を表示する表示部１１ａを備えている（図１参照）。この表示部１１ａは、表示素子１１の表示領域（図示せず）に表示される。
【００１５】
導光体１２ａは、略平板状の透光性合成樹脂からなり、表示素子１１の背面に沿うように配置される。別の言い方をすれば、導光体１２ａは、光源１２ｂから表示素子１１へと至る照明光路中に配置されていることになる。
【００１６】
光源１２ｂは、適宜色を発するチップ型発光ダイオードからなり、図２中、導光体１２ａの右側に位置する一側面１２ｄに沿うように列状に複数個配置され、表示素子１１に照明光を供給する発光体からなる。
【００１７】
樹脂ケース１３は、例えば白色系の合成樹脂材料によって形成され、表示素子１１及び導光体１２ａを保持するようにフレーム体１６の内部に収納される略平板状の本体部１３ａと、前記底面部に設けた孔Ｈから背面フレーム１５の背後側に向けて露出（突出）する固定部１３ｂとを有している。
【００１８】
つまり、ここでの（本体部１３ａと一体形成された）固定部１３ｂは、フレーム体１６の外部にはみ出すように構成された略筒状のボス部であり、その内周面には螺子６０が螺合する螺合部（図示せず）が設けられている。
【００１９】
前面フレーム１４は、導電性材料からなり、略枠状にプレス成形され、その主要部をなす前面部１４ａと、この前面部１４ａの周縁から下方に向けて垂下形成された第１の周壁部１４ｂとが一体形成された構成となっている。そして、前面部１４ａの略中央部には、表示部１１ａに対応するように略矩形状の開口窓からなる表示窓部１４ｃが形成されている。
【００２０】
背面フレーム１５は、前面フレーム１４と同様に導電性材料からなり、断面略凹部形状にて形成され、その主要部をなす底面部１５ａと、この底面部１５ａの周縁から第１の周壁部１４ｂ側に向けて突出形成された第２の周壁部１５ｂとが一体形成された構成となっている。
【００２１】
そして、図２中、右側に位置する第２の周壁部１５ｂの内壁面１５ｃには、フレキシブル配線板１２ｃが適宜固定手段を用いて固定され、各光源１２ｂは、導光体１２ａの一側面１２ｄと対向するようにフレキシブル配線板１２ｃに設けられる導電路（図示せず）に実装される。
【００２２】
なお、図２中、１７ａは、プリント基板１７に実装される第１のコネクタであり、この第１のコネクタ１７ａと回路基板２０に実装された第２のコネクタ２１とは他のフレキシブル配線板Ｆによって導通接続されている。
【００２３】
また、１８は、例えば薄板状の金属プレートにて形成された導電部材であり、この導電部材１８は、その略中央部分が屈曲した構造となっており、第１の平板部１８ａと、第２の平板部１８ｂと、屈曲部１８ｃとを有している（図３参照）。
【００２４】
第１の平板部１８ａは、導電部材１８の一端側Ｘ１に位置するものであり、背面フレーム１５の底面部１５ａに適宜固定手段を用いて固定されている。つまり、このことは、導電部材１８は、その一端側Ｘ１（第１の平板部１８ａ）が背面フレーム１５（フレーム体１６）と接続可能に構成されることを意味している。
【００２５】
第２の平板部１８ｂは、当該一端側Ｘ１とは反対側である導電部材１８の他端側Ｘ２に位置するものであり、第１の平板部１８ａの形成位置よりも背後側に設けられている。なお、第２の平板部１８ｂは螺子６０によって固定部１３ｂに固定される。また、屈曲部１８ｃは、第１の平板部１８ａと第２の平板部１８ｂとを繋ぐ傾斜壁部として形成されている。
【００２６】
回路基板２０は、例えばその表裏面に所定の導電路が施された硬質の配線基板からなり、表示素子１１の表示制御や光源１２ｂの点灯制御を行うマイクロコンピュータからなる制御部２２と、抵抗、コンデンサ等の各種回路部品とが前記導電路上に導通接続されている。なお、２３は、回路基板２０裏面の導電路に設けられたグランド電極としての接地部であり、この接地部２３には配線コード５０の後述する第１の端子が接続される。
【００２７】
保護パネル３０は、透光性の合成樹脂材料によって形成された略平板状の透視部である。また、前記表示領域を除いた保護パネル３０の背面箇所には不透過部である遮光層３１が印刷等によって形成されている。なお、この場合、保護パネル３０は、透光性を有する両面テープ等の接着剤７０を用いて表示ユニット１０と固定されている。
【００２８】
筐体４０は、例えば合成樹脂材料によって形成された樹脂筐体であり、その内部空間には表示ユニット１０や回路基板２０、保護パネル３０が収納されている。筐体４０の前面壁部４１には保護パネル３０の所要部を臨ませるための開口部４１ａが開口形成されている。なお、筐体４０は、例えば表示装置Ｄの前方側に位置する前方側筐体と表示装置Ｄの背後側に位置する背後側筐体とを有するように、２つに分割形成されていてもよい。
【００２９】
配線コード５０は、可撓性に富むコード本体５１の両端に一対の第１、第２の端子５２、５３がかしめられて構成される。この場合、一対の第１、第２の端子５２、５３のうち、第１の端子５２は、配線コード５０の一端部Ｙ１に位置しており、第２の端子５３は、一端部Ｙ１とは反対側にある配線コード５０の他端部Ｙ２に位置しているものとする。
【００３０】
そして、第１の端子５２（つまり配線コード５０の一端部Ｙ１）は、回路基板２０に設けられた接地部２３に図示省略した固定用螺子で固定されることで、接地部２３と接続した状態となる。つまり、このことは、配線コード５０は、その一端部Ｙ１が回路基板２０の接地部２３と電気的に接続可能に構成されることを意味している。
【００３１】
また、図２に示すように一端部Ｙ１とは反対側となる配線コード５０の他端部Ｙ２と、導電部材１８の他端側Ｘ２（第２の平板部１８ｂ）とは螺子６０によって固定部１３ｂに共締め固定される構成となる。なお、この配線コード５０の他端部Ｙ２及び導電部材１８の他端側Ｘ２の固定部１３ｂへの共締め固定時において、導電部材１８の他端側Ｘ２は配線コード５０の他端部Ｙ２と当接（面接触）していることは言うまでもない。
【００３２】
ここで、表示装置Ｄの周囲にオーディオ機器（電子機器）が搭載されている条件下において、当該オーディオ機器の動作時にオーディオ機器の周囲に伝播する電磁ノイズの影響を表示装置Ｄが受けた場合、この電磁ノイズは導電性のフレーム体１６、背面フレーム１５（フレーム体１６）の底面部１５ａに固定された導電部材１８、導電部材１８（他端側Ｘ２）と接触している配線コード５０（他端部Ｙ２）、配線コード５０（一端部Ｙ１）と接続しているグランド電極としての接地部２３へと順次伝播するため、電磁ノイズの影響を受けて表示装置Ｄに備えられる表示ユニット１０の表示素子（情報表示体）１１が誤動作する虞はなくなる。
【００３３】
以上のように本実施形態では、表示ユニット１０の背後側に配置される回路基板２０と、その一端側Ｘ１がフレーム体１６と接続可能に構成された導電部材１８と、その一端部Ｙ１が回路基板２０の接地部２３と接続可能に構成された配線コード５０とを備え、一端側Ｘ１とは反対側となる導電部材１８の他端側Ｘ２は、一端部Ｙ１とは反対側となる配線コード５０の他端部Ｙ２と当接していることにより、前記電磁ノイズは、フレーム体１６、導電部材１８、配線コード５０、接地部２３へと順次伝播するため、表示ユニット１０には前記電磁ノイズが作用しない構成となり、表示素子（情報表示体）１１が誤動作する虞のない表示装置Ｄを提供することができる。
【００３４】
また本実施形態では、表示ユニット１０は、フレーム体１６の内部に収納される本体部１３ａとフレーム体１６の外部にはみ出す固定部１３ｂとを有する樹脂ケース１３を有し、導電部材１８の他端側Ｘ２と配線コード５０の他端部Ｙ２とが螺子６０によって固定部１３ｂに共締め固定されることにより、導電部材１８の他端側Ｘ２と配線コード５０の他端部Ｙ２との双方を単一の固定部１３ｂに一括して組み付けるだけで、前記電気ノイズを接地部２３に伝播することが可能となることから、組み付け作業性が煩雑とならないという利点がある。
【００３５】
なお、本発明は、上述の実施形態及び図面によって限定されるものではない。本発明の要旨を変更しない範囲で、適宜、実施形態及び図面に変更（構成要素の削除も含む）を加えることが可能である。例えば、上述した実施形態では、図２中、固定部１３ｂの個数は１つであったが、固定部１３ｂの個数は複数個でもよい。そして、この際、複数個（個々）の固定部１３ｂに、導電部材１８の他端側Ｘ２及び配線コード５０の他端部Ｙ２を螺子６０を用いて、各々共締め固定すればよい。
【符号の説明】
【００３６】
１０    表示ユニット
１１    表示素子（情報表示体）
１３    樹脂ケース（樹脂部材）
１３ａ  本体部
１３ｂ  固定部
１４    前面フレーム
１５    背面フレーム
１６    フレーム体
１８    導電部材
１８ａ  第１の平板部
１８ｂ  第２の平板部
２０    回路基板
２３    接地部
３０    保護パネル
５０    配線コード（配線部材）
５１    コード本体
５２    第１の端子
５３    第２の端子
６０    螺子
Ｘ１    導電部材の一端側
Ｘ２    導電部材の他端側
Ｙ１    配線コードの一端部
Ｙ２    配線コードの他端部
【図１】
2019006171.tif 000003
【図２】
2019006171.tif 000004
【図３】
2019006171.tif 000005